【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
印刷版炉のための加熱装置であって、
第一の方向に延びる少なくとも１つの加熱部材を備え、
印刷版は、使用時に、前記第一の方向に対して傾斜した第二の方向に沿って前記加熱部材を通過するように配置される装置。
【請求項２】
請求項１記載の装置において、
前記加熱部材は、略直線状の加熱部材を備える装置。
【請求項３】
請求項２記載の装置において、
直線状の前記加熱部材は、第一の方向に延びる縦軸を備える装置。
【請求項４】
請求項１〜３のいずれか一項に記載の装置において、
前記印刷版は、使用時に、加熱部材、又は各熱部材の下を通過するように配置される装置。
【請求項５】
請求項１〜４のいずれか一項に記載の装置において、
前記加熱装置は、複数の加熱部材を備える装置。
【請求項６】
請求項５記載の装置において、
各加熱部材は、第一の方向に延びる縦軸を備える装置。
【請求項７】
請求項１〜６のいずれか一項に記載の装置において、
前記加熱部材又は各加熱部材はランプからなる装置。
【請求項８】
請求項７記載の装置において、
前記加熱部材又は各加熱部材は赤外線ランプからなる装置。
【請求項９】
請求項７又は８記載の装置において、
前記加熱部材又は各加熱部材はハロゲンランプからなる装置。
【請求項１０】
請求項７〜９のいずれか一項に記載の装置において、
前記加熱部材又は各加熱部材は、各ランプから発生する熱を制御するために脈動される装置。
【請求項１１】
請求項１〜１０のいずれか一項に記載の装置において、
前記第一の方向と前記第二の方向との間の角度は約７０°以下である装置。
【請求項１２】
請求項１〜１１のいずれか一項に記載の装置において、
前記加熱装置は、同加熱装置を横方向に横切るように間隔を空けて配置される装置。
【請求項１３】
請求項１〜１２のいずれか一項に記載の装置において、
印刷版の一部が第一の加熱部材の第一端部の下を通過する場合、前記印刷版の一部が第二の（隣接する）加熱部材の第二端部の下を通過する装置。
【請求項１４】
請求項１〜１３のいずれか一項に記載の装置において、
前記加熱部材又は各加熱部材は第一端部を備え、その第一端部は、各加熱部材の第二端部の上流側に配置され、それにより、印刷版は、使用時に、前記加熱部材の第一端部の下を通過した後、同加熱部材の第二端部の下を通過する装置。
【請求項１５】
請求項１〜１４のいずれか一項に記載の装置において、
前記加熱装置は、同加熱装置内の中央にて横方向に配置された加熱部材の第１群と、同加熱装置の側端部に隣接して配置された加熱部材の右側及び左側の群とを備える装置。
【請求項１６】
請求項１〜１５のいずれか一項に記載の装置において、
前記加熱部材又は各加熱部材は反射手段を備える装置。
【請求項１７】
請求項１６記載の装置において、
前記反射手段又は各反射手段は各加熱部材の上方に配置される装置。
【請求項１８】
請求項１６又は１７記載の装置において、
前記反射手段は、熱を案内するための第一及び第二側壁を備える装置。
【請求項１９】
請求項１６〜１８のいずれか一項に記載の装置において、
前記反射手段は、ある角度範囲内で各加熱部材から放射状に放出される熱を維持及び反射し、その角度は約８０°である装置。
【請求項２０】
請求項１６〜１９のいずれか一項に記載の装置において、
前記反射手段は、使用時に、前記印刷版の上面に向けて下方に熱を反射する装置。
【請求項２１】
請求項１〜２０のいずれか一項に記載の装置において、
前記反射手段は、前記加熱部材の列を備え、前記加熱部材の縦軸は平行である装置。
【請求項２２】
請求項２１記載の装置において、
前記加熱部材は、前記加熱装置内でニシン型骨格パターンを形成する装置。
【請求項２３】
請求項１〜２２のいずれか一項に記載の装置において、
前記加熱装置は冷却手段を備える装置。
【請求項２４】
請求項２３記載の装置において、
前記冷却手段は、使用時に、前記加熱部材又は各加熱部材を冷却するように配置される装置。
【請求項２５】
請求項１６〜２０のいずれか一項、又は請求項１６〜２０のいずれか一項に従属するとき請求項２１〜２３のいずれか一項に記載の装置において、
前記反射手段は、第一加熱部材から反射した熱を、使用時に、隣接する加熱部材から反射した熱と印刷版の表面で重なり合わせるように配置される装置。
【請求項２６】
印刷版炉の炉区画内で印刷版を加熱する方法であって、
第一の方向に延びる少なくとも１つの加熱部材を加熱するステップと、
前記印刷版を移動させて、前記第一の方向に対して傾斜した第二の方向に沿って前記加熱部材を通過させるステップと
を備える装置。
【請求項２７】
請求項２６記載の方法において、
前記加熱部材の下に前記印刷版を通過させるステップを備える方法。
【請求項２８】
請求項２６又は２７記載の方法において、
加熱装置中に、複数の加熱部材を提供するステップを備える方法。
【請求項２９】
請求項２６〜２８のいずれか一項に記載の方法において、
加熱装置中に、ニシン型骨格パターンで加熱部材の列を提供するステップを備える方法。
【請求項３０】
印刷版のための駆動手段であって、
前記駆動手段は、使用時に、印刷版を駆動するように配置され、
前記駆動手段は、第一のローラを備え、前記第一のローラは、前記印刷版に接触する外表面を備え、そのローラの外表面は、少なくとも１つの上昇部を備える駆動手段。
【請求項３１】
請求項３０記載の駆動手段において、
前記駆動手段は、印刷版炉に使用される駆動手段。
【請求項３２】
請求項３０又は３１記載の駆動手段において、
前記第一のローラは、駆動される駆動ローラを備える駆動手段。
【請求項３３】
請求項３０〜３２のいずれか一項に記載の駆動手段において、
前記第一のローラの外表面は、複数の上昇部を備える駆動手段。
【請求項３４】
請求項３０〜３３のいずれか一項に記載の駆動手段において、
前記上昇部又は各上昇部は、前記第一のローラの外表面の周囲に放射状に延びている駆動手段。
【請求項３５】
請求項３４記載の駆動手段において、
前記上昇部又は各上昇部は、円筒状の支持面を提供するため、前記第一のローラの外表面の周囲にて完全に放射状に延びている駆動手段。
【請求項３６】
請求項３０〜３５のいずれか一項に記載の駆動手段において、
前記駆動手段は、使用時に、前記第一のローラに向けて前記印刷版を押し進めるための推進手段を備える駆動手段。
【請求項３７】
請求項３６記載の駆動手段において、
前記推進手段は第二のローラを備える駆動手段。
【請求項３８】
請求項３７記載の駆動手段において、
前記第二のローラの外表面は、それを通じて駆動される印刷版の厚さより僅かに少ない距離だけ、前記第一のローラの外表面から離間している駆動手段。
【請求項３９】
請求項３７又は３８記載の駆動手段において、
前記第二ローラは、前記第一のローラ側に相対的に偏倚している駆動手段。
【請求項４０】
請求項３０〜３９のいずれか一項に記載の駆動手段において、
前記第一のローラの外表面は、変形可能な、又は弾力性のある材料からなる駆動手段。
【請求項４１】
請求項３０〜４０のいずれか一項に記載の駆動手段において、
前記推進手段は第二ローラを備え、前記第二のローラの外表面は少なくとも１つの上昇部を備える駆動手段。
【請求項４２】
請求項４０記載の駆動手段において、
前記第二ローラ上の上昇部又は各上昇部は、前記第二ローラの外表面の周囲にて放射状に延びている駆動手段。
【請求項４３】
請求項４１又は４２記載の駆動手段において、
前記第二ローラは、前記第一ローラと一致する外形、又は形状の外表面を備える駆動手段。
【請求項４４】
請求項４３記載の駆動手段において、
前記第二ローラの上昇部は、一方のローラの上昇部を他方のローラ上の隣接する２つの上昇部間に規定されたチャネル部内に配置させるため、前記推進ローラに沿って縦方向にオフセットされている駆動手段。
【請求項４５】
請求項４０〜４４のいずれか一項に記載の駆動手段において、
前記ローラ又は各ローラ上の隣接する上昇部は、それらの間にチャネル部を規定する駆動手段。
【請求項４６】
請求項３６又は請求項３６に従属するとき請求項３７〜４５のいずれか一項に記載の駆動手段において、
前記第一ローラは、前記推進手段の上昇部と共に横方向にオフセットされた上昇部を有している駆動手段。
【請求項４７】
請求項４６記載の駆動手段において、
前記上昇部は、印刷版の一部を両表面で同時に接触させないようにオフセットされている駆動手段。
【請求項４８】
印刷版を駆動する方法であって、
前記印刷版を駆動させるためのローラを駆動するステップを備え、
前記ローラは、前記印刷版を接触させるための外表面を備え、そのローラの外表面は、少なくとも１つの上昇部を備えている方法。
【請求項４９】
請求項４８記載の方法において、
前記印刷版を前記ローラの外表面に接触させるステップを備える方法。
【請求項５０】
請求項４８又は４９記載の方法において、
２つのローラ間に前記印刷版に通過させるステップを備え、
それらのローラのうちの一方のローラが駆動されている方法。
【請求項５１】
印刷版炉と共に使用される冷却手段であって、
前記冷却手段は、冷却中に印刷版の一部を曲げるための変形手段を備える冷却手段。
【請求項５２】
請求項５１記載の冷却手段において、
前記冷却手段は、冷却中に印刷版に引張力を付与する冷却手段。
【請求項５３】
請求項５１又は５２記載の冷却手段において、
前記変形手段は変形部材を備える冷却手段。
【請求項５４】
請求項５１〜５３のいずれか一項に記載の冷却手段において、
前記変形手段は案内手段を備える冷却手段。
【請求項５５】
請求項５４記載の冷却手段において、
前記案内手段は、第一の方向に前記印刷版を案内し、かつ、前記変形部材と接するように配置され、その変形部材は、前記印刷版を第二の方向に移動させるため同印刷版を曲げるか、又は変形させる冷却手段。
【請求項５６】
請求項５１〜５５のいずれか一項に記載の冷却手段において、
前記変形手段は変形ローラを備える冷却手段。
【請求項５７】
請求項５６記載の冷却手段において、
前記印刷版は、前記変形ローラの外表面の弧状部分の周囲の第一案内部材と、第二案内部材との間を通過するように配置される冷却手段。
【請求項５８】
請求項５７記載の冷却手段において、
前記第一案内部材は、前記印刷版の縦方向の長さより短い距離だけ前記第二案内部材から離間している冷却手段。
【請求項５９】
請求項５１〜５８のいずれか一項に記載の冷却手段において、
前記印刷版は、冷却中に、同印刷版の幅方向に曲げられる冷却手段。
【請求項６０】
請求項５６に、又は請求項５６に従属するとき請求項５７〜５９のいずれか一項に記載の冷却手段において、
前記変形ローラは、駆動される変形ローラを備える冷却手段。
【請求項６１】
印刷版を冷却する方法であって、
冷却中に、前記印刷版の少なくとも一部を曲げるステップを備える方法。
【請求項６２】
請求項６１記載の方法において、
冷却中に、前記印刷版の少なくとも一部を引っ張るステップを備える方法。
【請求項６３】
請求項６１又は６２記載の方法において、
横方向を越えて前記印刷版を曲げるステップを備える方法。
【請求項６４】
印刷版炉用の加熱装置であって、
加熱装置と制御手段とを備え、
前記制御手段は、使用時に、そこを通過する印刷版の部分に対して前記加熱装置の熱を制御するように配置される加熱装置。
【請求項６５】
請求項６４記載の加熱装置において、
前記部品は、前記印刷版上の縦方向及び／又は横方向の位置に対する同部品の配置によって同印刷版上に規定される区分を備える加熱装置。
【請求項６６】
請求項６４又は６５記載の加熱装置において、
前記制御手段は、使用時に、前記加熱装置に配置される前記印刷版の縦方向の位置に対して同加熱装置の熱を制御するように配置される加熱装置。
【請求項６７】
請求項６４〜６６のいずれか一項に記載の加熱装置において、
前記加熱装置は、前記印刷版の一方の部分に対する第一温度と、同印刷版の別の部分に対する第二温度とを同時に提供するように配置される加熱装置。
【請求項６８】
請求項６７記載の加熱装置において、
前記印刷版の第三の部分に対して第三温度を同時に提供するように配置される加熱装置。
【請求項６９】
請求項６４〜６８のいずれか一項に記載の加熱装置において、
前記制御手段は、進入期間である第一期間中に、前記加熱装置の熱を制御する加熱装置。
【請求項７０】
請求項６９記載の加熱装置において、
前記制御手段は、退出期間である第二期間中に、前記加熱装置の熱を制御する加熱装置。
【請求項７１】
請求項７０記載の加熱装置において、
前記制御手段は、進入期間と退出期間との間の中間期間である第三期間中に、前記加熱装置の熱を制御する加熱装置。
【請求項７２】
請求項６４〜７１のいずれか一項に記載の加熱装置において、
前記制御手段は、複数の期間又は区分中に、前記印刷版が加熱装置を通過している間に前記加熱装置の熱を制御するように配置される加熱装置。
【請求項７３】
請求項６４〜７２のいずれか一項に記載の加熱装置において、
前記制御手段は、前記加熱装置の複数の加熱部材から供給される熱を制御する加熱装置。
【請求項７４】
請求項６４〜７３のいずれか一項に記載の加熱装置において、
前記制御手段は、印刷版に熱を供給するように配置され、それにより、前記印刷版が複数のゾーンに規定され、各ゾーンは、異なる熱量が供給されるように配置される加熱装置。
【請求項７５】
請求項７４記載の加熱装置において、
前記印刷版は、複数の側面部に分割され、それにより、最外部の側面部に供給される熱は、最外部の側面部間に配置される他の部分に付与される熱よりも大きくされている加熱装置。
【請求項７６】
請求項６４〜７５のいずれか一項に記載の加熱装置において、
前記印刷版は、中間区分を前方区分と後方区分との間に配置させるように分割される加熱装置。
【請求項７７】
請求項７６記載の加熱装置において、
前記中間区分に付与される熱は、前記前方区分に付与される熱よりも小さいが、前記後方区分に付与される熱よりも大きくされている加熱装置。
【請求項７８】
印刷版炉の加熱装置を制御する方法であって、
前記印刷版に付与される熱を制するステップと、
前記加熱装置を通過する印刷版の一部に対して熱を変化させるステップと
を備える方法。
【請求項７９】
請求項７８記載の方法において、
前記加熱装置を横方向に横切る熱を変化させるステップを備える方法。
【請求項８０】
請求項７８又は７９記載の方法において、
前記加熱装置内の印刷版の縦方向の位置に応じて同印刷版を加熱するため、同印刷版がそれを通過するときに熱を変化させるステップを備える方法。
【請求項８１】
印刷版炉用の雰囲気温度制御手段であって、
センサ手段を備え、
前記センサ手段は、前記印刷版炉の炉区画内の雰囲気温度を感知し、かつ雰囲気温度が所定の温度に到達したとき同印刷版炉の炉区画を冷却するように配置される雰囲気温度制御手段。
【請求項８２】
請求項８１記載の雰囲気温度制御手段は、排出手段を備える雰囲気温度制御手段。
【請求項８３】
請求項８２記載の雰囲気温度制御手段において、
前記排出手段は、複数の排出ポートを備える雰囲気温度制御手段。
【請求項８４】
請求項８３記載の雰囲気温度制御手段において、
前記排出ポートは、炉区画と外部雰囲気との間に流体を流通させるように操作性される雰囲気温度制御手段。
【請求項８５】
請求項８３又は８４記載の雰囲気温度制御手段において、
前記排出ポートは、一度開放されると、雰囲気温度が所定の温度に到達したときに閉鎖される雰囲気温度制御手段。
【請求項８６】
請求項８３〜８５のいずれか一項に記載の雰囲気温度制御手段において、
前記温度制御手段は、所定の範囲内に、又は選択された雰囲気温度に対し設定された温度よりも低く、前記炉区画の雰囲気温度を維持する雰囲気温度制御手段。
【請求項８７】
印刷版炉の炉区画中の温度を調節する方法であって、
前記印刷版炉内の雰囲気温度を感知するステップと、
所定の温度が前記センサに感知されたとき前記雰囲気温度を冷却するステップと
を備える方法。
【請求項８８】
請求項８７記載の方法において、
その方法は、前記炉区分の空気の排出パーツを備える方法。
【請求項８９】
添付の図面のいずれかに示され、またそれらを参照して本明細書に実質的に記載されている印刷版炉用の加熱装置。
【請求項９０】
添付の図面のいずれかに示され、かつそれらを参照して本明細書に実質的に記載されている印刷版を加熱する方法。
【請求項９１】
添付の図面のいずれかに示され、かつそれらを参照して本明細書に実質的に記載されている印刷版用の駆動手段。
【請求項９２】
添付の図面のいずれかに示され、かつそれらを参照して本明細書に実質的に記載されている印刷版を駆動する方法。
【請求項９３】
添付の図面のいずれかに示され、かつそれらを参照して本明細書に実質的に記載されている印刷版を冷却する方法。
【請求項９４】
加熱装置及び制御手段を備える印刷版炉用の加熱手段であって、
添付の図面のいずれかに示され、かつそれらを参照して本明細書に実質的に記載されている加熱手段。
【請求項９５】
印刷版炉の加熱装置を制御する方法であって、
添付の図面のいずれかに示され、かつそれらを参照して本明細書に実質的に記載されている方法。
【請求項９６】
添付の図面のいずれかに示され、かつそれらを参照して本明細書に実質的に記載されている印刷版炉用の雰囲気温度調節手段。
【請求項９７】
印刷版炉の炉区画中で雰囲気温度を調節する方法であって、
添付の図面のいずれかに示され、かつそれらを参照して本明細書に実質的に記載されている方法。